(57)【要約】  光を発する光源１０８と、光源１０８に電流を伝導させる手段と、ケーシング部１０６とを備える照明ストライプであって、光源及び／又は光源１０８に電流を伝導させる手段は少なくとも部分的にケーシング部１０６によって包囲される、照明ストライプ。ケーシング部１０６の少なくとも一部は第１の物質２０４を含み、ケーシング部１０６の少なくとも一部は第２の物質２０２を含む。
2014517444.tif 000002
【特許請求の範囲】
【請求項１】
光を発する光源（１０８）と、その光を発する光源（１０８）に電流を伝導させる手段と、ケーシング部（１０６）とを備える照明ストライプであって、前記光源（１０８）及び／又は前記光源（１０８）に電流を伝導させる手段は少なくとも部分的に前記ケーシング部（１０６）によって包囲され、
前記ケーシング部（１０６）の少なくとも一部は第１の物質（２０４）を含み、
前記ケーシング部（１０６）の少なくとも一部は第２の物質（２０２）を含むことを特徴とする照明ストライプ。
【請求項２】
請求項１に記載の照明ストライプであって、前記ケーシング部（１０６）の少なくとも一部は、前記第１の物質及び／又は前記第２の物質を含まない第３の物質を含む照明ストライプ。
【請求項３】
請求項１又は２に記載の照明ストライプであって、前記第１の物質（２０４）は伝熱物質であり、前記光源及び／又は他の構成要素から熱を移す照明ストライプ。
【請求項４】
請求項１から３のいずれか一項に記載の照明ストライプであって、前記第２の物質（２０２）は蓄光物質であり、前記光源が動作しなくなった後に、少なくとも一定の時間にわたって光を放射し、
前記光源（１０８）は、前記光源（１０８）によって放射された光の少なくとも一部が前記ケーシング部（１０８）に向けられるように、該照明ストライプ（１００）に関連して配置される照明ストライプ。
【請求項５】
請求項２に記載の照明ストライプであって、前記伝熱物質は伝熱材料の粒子を含む照明ストライプ。
【請求項６】
請求項３に記載の照明ストライプであって、前記蓄光物質は蓄光材料の粒子を含む照明ストライプ。
【請求項７】
請求項１から６のいずれか一項に記載の照明ストライプであって、前記粒子は前記ケーシング部（１０６）内で均等に配置される照明ストライプ。
【請求項８】
請求項１から７のいずれか一項に記載の照明ストライプであって、前記粒子は前記ケーシング部（１０６）の或る特定の部分に配置される照明ストライプ。
【請求項９】
請求項１から８のいずれか一項に記載の照明ストライプであって、前記光源（１０８）は回路基板（１０２）に接続される照明ストライプ。
【請求項１０】
請求項１から９のいずれか一項に記載の照明ストライプであって、前記光源（１０８）は連続して、及び／又は隣接して配置される照明ストライプ。
【請求項１１】
請求項１から１０のいずれか一項に記載の照明ストライプであって、前記光源（１０８）は半導体光源、例えば、ＬＥＤ光源である照明ストライプ。
【請求項１２】
請求項１から１１のいずれか一項に記載の照明ストライプであって、前記回路基板（１０２）は弾性である照明ストライプ。
【請求項１３】
請求項１から１２のいずれか一項に記載の照明ストライプであって、前記照明ストライプ（１００）の前記ケーシング部（１０６）は耐水性である照明ストライプ。
【請求項１４】
請求項３から１３のいずれか一項に記載の照明ストライプであって、前記ケーシング部（１０６）内の前記伝熱物質は、前記光源（１０８）の少なくとも一部の下に配置される照明ストライプ。
【請求項１５】
請求項４から１４のいずれか一項に記載の照明ストライプであって、前記ケーシング部（１０６）内の前記蓄光物質は、前記光源（１０８）の少なくとも一部の周囲に配置される照明ストライプ。
【請求項１６】
請求項３から１５のいずれか一項に記載の照明ストライプであって、前記伝熱物質は、炭素、酸化アルミニウム、セラミック又は基本的に高い熱伝導率を有する何らかの他の類似の物質を含有する粒子を含む照明ストライプ。
【請求項１７】
少なくとも１つの照明ストライプ及び少なくとも１つの制御ユニットを備える照明ストライプシステムであって、
前記照明ストライプは請求項１から１６のいずれか一項に記載の照明ストライプ（１００）であり、
前記制御ユニットは、前記照明ストライプの前記光源を、所定の態様で点灯及び消灯させることによって制御するように構成されることを特徴とする照明ストライプシステム。
【請求項１８】
請求項１７に記載の照明ストライプシステムであって、前記制御ユニットは、１つの照明ストライプ（１００）の前記光源を所定の態様で１つずつ点灯及び消灯させるように構成される照明ストライプシステム。
【請求項１９】
請求項１７又は１８に記載の照明ストライプシステムであって、前記照明ストライプ（１００）に無線で又は有線によって制御情報が送信される照明ストライプシステム。
【請求項２０】
請求項１７から１９のいずれか一項に記載の照明ストライプシステムであって、前記照明ストライプシステムは、交通管制システム、非常口制御システム、避難システム又は火災警報システムによって制御される照明ストライプシステム。
【請求項２１】
照明ストライプの作製方法であって、前記照明ストライプは、電流を伝導させる手段であって、幾つかの発光光源（１０８）が長手方向において順次に取り付けられる、電流を伝導させる手段と、ケーシング部（１０６）とを備え、前記照明ストライプは、押出し成形等のような連続作製プロセスを利用することによって、断面において見たときに、前記ケーシング部（１０６）を形成するケーシング材料によって全体的に包囲されるように、前記光源（１０８）及び光源（１０８）に電流を伝導させる手段を配置することによって作製され、好ましくは動的な使用を可能にする前記光源（１０８）は、好ましくは表面処理技法によって、前記光源（１０８）に電流を伝導させる手段に取り付けられ、それにより、前記光源（１０８）に電流を伝導させる前記手段は、導電素子の全長にわたって基本的に途切れることなく延在し、その後、もたらされたその全体が、ＰＣＶ、ポリウレタン、オレフィン等のようなプラスチックに基づくケーシング材料によって包囲され、
第１の物質（２０４）が少なくとも前記ケーシング材料の一部に付加され、
第２の物質（２０２）が少なくとも前記ケーシング材料の一部に付加されることを特徴とする照明ストライプの作製方法。
【請求項２２】
請求項２１に記載の照明ストライプの作製方法であって、第３の物質が少なくとも、第１の物質及び／又は第２の物質を含まない前記ケーシング材料の部分に付加され、
前記第３の物質は第１の物質及び／又は第２の物質を含まない作製方法。
【請求項２３】
請求項２１又は２２に記載の照明ストライプの作製方法であって、前記第１の物質（２０４）は伝熱物質であり、その伝熱物質は前記光源及び／又は他の構成要素から熱を移すように配置される作製方法。
【請求項２４】
請求項２１から２３のいずれか一項に記載の照明ストライプの作製方法であって、前記第２の物質（２０２）は蓄光物質であり、前記光源（１０８）によって放射された光の少なくとも一部が前記ケーシング部（１０８）に向けられ、前記蓄光物質を照明するように、前記光源（１０８）及び蓄光物質は前記照明ストライプ（１００）に関連して配置される作製方法。
【請求項２５】
請求項２１から２４のいずれか一項に記載の照明ストライプの作製方法であって、前記ケーシング部（１０６）は少なくとも２つの異なる材料を押出し成形することによって形成され、前記材料のうちの一方は第１の物質（２０４）を含み、他方の材料は第２の物質（２０２）を含む作製方法。
【発明の詳細な説明】
【技術分野】
【０００１】
本発明は照明ストライプ、照明ストライプシステム及び照明ストライプシステムの作製方法に関する。
【背景技術】
【０００２】
火災状況のような危険な状況及び事故の状況において、人々を種々の建物、トンネル又は船舶の非常口へ誘導する種々のシステムが当該技術分野において既知である。これらのシステムは、非常口経路の照明、又は別の手段、例えば、反射塗料又はテープを付された非常口経路のような、所望の経路を指示する種々の視覚的方法である。
【０００３】
１つの従来技術の照明ストライプが特許文献１において提示される。その特許文献は導体素子を提示し、その導体素子は導電性の細長い導体部を少なくとも備え、長手方向において互いに連続している複数の構成要素、例えば、照明機能又はそれに相当する機能をもたらす素子が当該導体部に固定される。導体部及び複数の構成要素はケーシング部によって包囲される。
【０００４】
危険な状況及び事故の状況では、ストライプを識別することが問題である。なぜなら、ストライプの照明は通常、電流を必要とし、何らかの理由から電流が利用できない状況であってもストライプを識別することが重要になるためである。
【０００５】
従来技術の解決法は、リン添加ストライプも含む。リン添加表面は、光が当たっていないときに、その後も光を放射する。この現象は燐光として知られている。その現象では、燐光材料が電磁放射を吸収し、低エネルギー放射を放出する。それゆえ、リン添加表面は遅れて放射を放出し、すなわち、可視光に露光された表面は、暗闇においても発光する。
【０００６】
従来技術の解決法では、リン添加ストライプは、日光から、又はストライプとは別の離れた照明から光を吸収する。この光は、リン添加表面が暗闇状態において十分に長い間、ストライプを十分に明るくするほど十分にリン添加表面を適度に照明するには多くの場合に不十分である。
【０００７】
ホテル、旅客船又はトンネルのような多くの応用形態では、緊急事態において指定された非常口が存在し、非常口は避難状況において人々がたどるべき出口である。一方、火災状況では、火災の場所によっては、所定の非常口が利用できない場合があり、その場合、従来技術の解決法は、間違った方向に、更には火災に向かって誘導するおそれがあった。リン添加物質をコーティングされた当該技術分野において既知のストライプマーキングは、静的なストライプしかなく、静的なストライプと区別される動的制御は、それらのストライプマーキングに接続することはできない。リン添加物質をコーティングされた表面を含む従来技術のストライプは、例えば、暗いトンネル内のような、他に照明が存在しないタイプの暗い場所では機能しない。また、コーティングされたストライプマーキング、すなわち、リン添加物質をコーティングされた表面を含むストライプの作製は複雑で、コストがかかり、コーティングの堅牢性は必ずしも全ての要件を満たすとは限らない。
【０００８】
最新の照明ストライプは高輝度ＬＥＤを使用することができる。これらの種類のＬＥＤは高い輝度及び光度を提供するが、同時に大量の熱を生成する。従来技術の解決法の光源の熱の生成は、光源の信頼性、耐久性及び光度を劣化させる。また、ケーシング部において生成され、光源又は他の構成要素から移されない余分な熱は、光源の特性だけでなく、照明ストライプの実効光度が劣化するようにケーシング部の特性も損なうか、又は影響を及ぼす可能性がある。また、光ストライプは、ケーシング部の内側に他の構成要素も有する可能性があり、これらの構成要素も高すぎる温度から損傷を受ける可能性がある。
【先行技術文献】
【特許文献】
【０００９】
【特許文献１】フィンランド国特許第１０８１０６号
【発明の概要】
【発明が解決しようとする課題】
【００１０】
本発明の目的は、従来技術の問題を回避することができる新たなタイプの解決法を達成することである。本発明は、光を発する光源と、光源に電流を伝導させる手段と、光源及び／又は光源に電流を伝導させる手段を包囲するケーシング部とを備える照明ストライプである。ケーシング部は第１の物質及び第２の物質を含む。
【課題を解決するための手段】
【００１１】
本発明による照明ストライプは主に請求項１において開示される内容によって特徴付けられる。
【００１２】
本発明による照明ストライプはまた、請求項２から１６において開示される内容によって特徴付けられる。
【００１３】
本発明による照明ストライプシステムは主に請求項１７において開示される内容によって特徴付けられる。
【００１４】
本発明による照明ストライプシステムはまた、請求項１８から２０において開示される内容によって特徴付けられる。
【００１５】
本発明による照明ストライプの作製方法は主に請求項２１において開示される内容によって特徴付けられる。
【００１６】
本発明による照明ストライプの作製方法はまた、請求項２２から２５において開示される内容によって特徴付けられる。
【００１７】
照明ストライプのケーシング部は、例えば、ケーシング部材料に第１の物質及び第２の物質の粒子を導入することによって実現することができる。より詳細には、照明ストライプは少なくとも、バンド、ストライプ等のような細長く、基本的に平坦な導電性導体部も備えることができ、その中には、導電素子を使用することによって照明動作等をもたらす、プローブ、ＬＥＤ、抵抗器等のような幾つかの電気的構成要素が、長手方向に順次に取り付けられている。
【００１８】
また、本発明は照明ストライプの作製方法であり、その方法では、照明ストライプは、導体部に構成要素を取り付け、導体部及び既存の構成要素を配置することによって作製され、押出し成形等の連続作製プロセスを利用することによって、断面で見るときに、上記ケーシング部を形成するケーシング材料によって全体的に包囲される。連続作製プロセス、例えば、押出し成形前に、又は作製プロセス中に、ケーシング材料に第１の物質及び／又は第２の物質を付加することができる。第１の物質及び／又は第２の物質、例えば、粒子又は染料は、ケーシング部に概ね均等に分散させることができるか、又はケーシング部の或る特定の部分に配置することができる。
【００１９】
本発明の一実施形態では、第１の物質は光源又は他の構成要素から熱を移す物質であり、第２の物質は光を蓄積する物質であり、その物質は光源を用いて照明することができる。この実施形態では、照明ストライプのケーシング部は、例えば、伝熱物質の粒子、例えば、基本的に高い熱伝導率を有する粒子、及び／又は蓄光物質の粒子、例えば、フォトルミネセンス物質の粒子をケーシング部材料に導入することによって実現することができる。伝熱物質及び／又は蓄光物質、例えば、粒子又は染料は、ケーシング部に基本的に均等に分散させることができるか、又はケーシング部の或る特定の部分に配置することができる。
【００２０】
本発明の一実施形態では、第１の物質は、第２の物質とは異なる光学的品質を有する。例えば、第１の物質は回折材料を有することができ、第２の物質は反射材料を有することができる。また、例えば、第１の物質は、第２の物質とは別の色を有することもできる。
【００２１】
本発明の一実施形態では、光源の光はストライプの残りの部分から識別される。本発明によるストライプは、静的な光源を備えるストライプ、又は光源の動的な使用を可能にするストライプ、又は光源の静的な使用及び動的な使用を可能にするストライプとすることができる。本発明の一実施形態では、識別可能な光源によって、蓄光物質及び動的に制御可能な光源を設けられた照明ストライプは、動的に誘導させることもでき、すなわち、照明ストライプの蓄光特性に関係なく、照明ストライプによって、動いているという印象をもたらすことができる。
【００２２】
本発明の解決法は、数多くの重要な利点を有する。本発明の解決法では、照明ストライプのケーシング部はもはや保護構造として使用されるだけでなく、更なる能力も有する。更なる能力は、ケーシング部に第１の物質及び第２の物質を含むことによって照明ストライプに導入される。これらの能力は、ストライプの構造を簡単、かつ頑丈に保つことができるようにして、本発明のストライプに付加することができる。これらの能力は、例えば、誘導又は装飾的な用途で、或る特定の機能を有効にすることができるか、又は照明ストライプの外観を変更することができる。本発明の作製方法の最も基本的な利点は、簡単であること、及び動作の信頼性を含み、それにより、従来技術の方法と比べて、はるかに有益な作製を可能にする。また、接着の問題がなく、更なる塗装プロセス、又は照明ストライプに取り付けられる余分な素子が不要であるので、本発明による照明ストライプの作製は従来技術の方法よりも複雑でない。
【００２３】
第１の物質が伝熱物質であり、第２の物質が蓄光物質である本発明による解決法は、数多くの重要な利点を有する。伝熱物質は光源によって生成された熱を光源、他の構成要素及び光ストライプから移すことができる。このようにして、光源の耐久性、信頼性及び光度を、従来技術の解決法よりも改善することができる。また、熱が光源及び構成要素から移され、ケーシング部に余分な熱が存在しないとき、ケーシング部の特性も元のレベルに良好に保持することができる。これは、熱を生成する高輝度ＬＥＤ又は他の光源若しくは素子を使用するときに特に利点をもたらす。
【００２４】
本実施形態の作製方法の最も基本的な利点は、接着の問題がなく、更なる塗装プロセス又は照明ストライプに取り付けられる硬質の伝熱素子が不要であるので、従来技術の方法よりも複雑でないことである。硬質の伝熱素子があると、例えば、粒子からなる伝熱物質を用いる解決法の場合のように、ストライプに可撓性を持たせることができなくなる。
【００２５】
第２の物質が蓄光物質である実施形態の利点は、電流が使用されているときに、照明ストライプ付近にあり、かつ関連する光源によって、蓄光物質を含む照明ストライプのケーシング部が照明されるので、例えば、電気の供給が停止されたために、光源が光を放射しなくなった後でも、ケーシング部の材料内に光を蓄積する物質によって、照明ストライプが一定の時間にわたって照明されることである。この場合、その照明ストライプは、従来技術のリン添加ストライプ、又は電流を用いてのみ照明されるストライプの場合よりも、光源が消灯した後に実効的に、かつ長い時間にわたって照明することができるので、そのストライプは従来技術の解決法の場合よりも良好に照明される。これは、暗闇、例えば、非常口経路において大きな利点を有し、これにより、ストライプを照明するのに普通光は不要である。別の利点は、本発明によるストライプは、電気を用いなくても照明されるので、フォトルミネセンスとしての許可のみを受ける必要があり、電気システムとしての許可を受ける必要はないことである。このため、バッテリバックアップ電源も不要であり、これにより、従来技術の解決法に比べてコストを削減することができる。
【００２６】
以下の説明において、本発明は、添付の図面を参照しながら、その実施形態の幾つかの例の助けを借りて詳細に説明されることになる。
【図面の簡単な説明】
【００２７】
【図１】第１の物質及び第２の物質を含む、本発明による照明ストライプの例示的な実施形態の断面図である。
【図２】ケーシング部の或る特定のエリアに第１の物質及び第２の物質を含む、本発明による照明ストライプの例示的な実施形態の断面図である。
【図３】ケーシング部の或る特定のエリアに第１の物質及び／又は第２の物質を含む、照明ストライプを上から見た場合の、本発明による照明ストライプの例示的な実施形態の構造を示す図である。
【図４】ケーシング部の全体で第１の物質及び／又は第２の物質を含む、照明ストライプを上から見た場合の、本発明による照明ストライプの例示的な実施形態の構造を示す図である。
【図５】本発明による、照明ストライプの作製方法の例示的な実施形態を示す図である。
【発明を実施するための形態】
【００２８】
図１は、本発明による照明ストライプの例示的な実施形態の断面図を示す。照明ストライプ１００は、光源１０８が接続される回路基板１０２を備える。弾力性があり、かつ薄い回路基板を回路基板１０２として用いることができる。光源１０８は半導体光源、例えば、ＬＥＤ光源とすることができる。光源はＬＥＤとすることができ、そのＬＥＤは単色ＬＥＤ、例えば、赤色、青色、緑色、黄色、白色又は紫外線（ＵＶ）ＬＥＤ、又は単一のＬＥＤ光源において複数の色を与えることができるＲＢＧ−ＬＥＤとすることができる。回路基板１０２及び光源１０８は、一体構成のケーシング部１０６内に収められる。ケーシング部１０６は一体構成であるので、照明ストライプの構造は耐水性である。ＰＶＣ、ポリウレタン、オレフィン等のプラスチック又は他の対応する材料をケーシング部１０６の材料として用いることができる。ケーシング部１０６の材料は第１の物質及び第２の物質も備える。第１の物質は蓄光材料を含むことができ、及び／又は第２の物質は伝熱材料を含むことができる。蓄光及び伝熱物質を含むケーシング部は、光源１０８によって生成された熱を、伝熱物質を用いて光源１０８からから吸収し、放射された光を蓄光物質によってケーシングに吸収する。この後、蓄光物質を含むケーシング部１０８は光を放射する。伝熱物質は、例えば、伝熱材料の粒子とすることができ、蓄光物質は、例えば、蓄光材料の粒子、又は蓄光材料の染料とすることができる。
【００２９】
本発明の別の実施形態では、照明ストライプのケーシング部１０６は、例えば、チューブ若しくはスリーブ又は他のタイプのケーシング構造とすることができ、１つ又は複数の部品から形成することができる。
【００３０】
第１の物質及び第２の物質は、第１の物質を伝熱物質とすることができ、第２の物質を蓄光物質とすることができ、図１に示されるように、ケーシング部に概ね均等に分散させることができるか、又はケーシング部の或る特定の部分、例えば、ケーシング部の底部又は側部及び／又は光源付近に配置することができる。図２は、第１の物質２０４、例えば、伝熱物質１０４がケーシング部１０６の下側に、より具体的には、光源下にのみ加えられ、第２の物質２０２、例えば、蓄光物質２０２がケーシング部１０６の上側にのみ加えられる実施形態を示す。
【００３１】
伝熱物質は、熱を或る特定の場所、好ましくは光源及びまた他の構成要素から移すことができる材料である。本発明の光源１０８の光が点灯しており、熱が生成されるとき、伝熱物質は熱を光源から移す。
【００３２】
本発明の一実施形態では、蓄光物質は、その物質が１つ又は複数のシンボル、例えば、矢印、出口の文字及び他のシンボルを生成するようにケーシング部１０６に配置することができる。
【００３３】
第１の物質及び第２の物質は、或る特定の機能を有効にすることができる或る特定の物質を含む、種々の粒径の染料又は粒子を含むことができる。蓄光物質の場合、その蓄光物質は、例えば、燐光体、又はその中に光源によって放射された光を蓄積する他の類似の物質を含有する、種々の粒径の蓄光染料粒子とすることができる。伝熱物質の場合、その伝熱物質は、例えば、炭素、酸化アルミニウム、セラミック、又は基本的に高い熱伝導率を有する他の類似の物質を含有する、種々の粒径の伝熱粒子とすることができる。また、伝熱物質は導電性でないことが有利である。
【００３４】
照明ストライプ１００の光源１０８は、光源１０８が照明ストライプ１００の上面に向かって直接向けられるように配置することができ、その場合、光の大部分が照明ストライプ１００の上方に直接誘導される。この場合、光源１０８によって放射される光のうちの或る量は、光源の側方に送られる。代替の実施形態では、光源は照明ストライプ１００の側方に向けることができる。複数の光源１０８を照明ストライプ１００上に並置されるように収めることもできる。光源１０８は種々の色からなることもできる。
【００３５】
本発明の一実施形態では、第１の物質は第２の物質とは異なる光学的品質を有する。例えば、第１の物質は回折材料を有することができ、第２の物質は反射材料を有することができる。また、例えば、第１の物質は、第２の物質とは別の色を有することもできる。
【００３６】
順次に配置された光源から光源帯を形成することができ、光源は、例えば、図１において示されるように配置される。光源帯の構造は弾性にすることができる。光源帯は、例えば、緊急事態から脱出するときに人々が使用する床上に、又は室内に設置することができる。光源帯は水平面上に、すなわち、図１において示されるように設置することができる。光源帯は垂直に、例えば、床のタイルの合わせ目の間に設置することもできる。本発明によるストライプは、壁に、外郭に、又は手すり等に直接取り付けることもできる。
【００３７】
図３は、上から見た場合の本発明による照明ストライプ１００の例示的な実施形態を示す。照明ストライプ１００は、連続又は隣接する光源１０８と、回路基板１０２とを備える。照明ストライプ１００の光源１０８、回路基板１０２は、ケーシング部１０６内に収められ、ケーシング部は、第１の物質２０４、例えば、伝熱物質と、第２の物質２０２、例えば、蓄光物質とを含む。第１の物質及び／又は第２の物質は、例えば、蓄光物質及び／又は伝熱物質とすることができ、ケーシング部１０６、例えば、光源１０８及び／又は他の構成要素付近にのみ配置することができる。光源１０８の光が点灯しているとき、その光は蓄光物質を含むケーシング部１０６を照明する。伝熱物質を含むエリア２０２、２０４は、図２に示されるエリア２０２よりも小さくすることができるか、又は大きくすることができる。伝熱物質を含むエリアが、光源又は他の構成要素付近、例えば、光源又は他の構成要素下に配置される場合には、それらのエリアは光源又は他の構成要素から熱を有効に移すことができる。伝熱物質が配置されるエリア２０２は、図２に示されるように、実際には必ずしも目には見えない。
【００３８】
図４は、上から見た場合の本発明による照明ストライプ１００の一実施形態を提示する。照明ストライプ１００は、連続、又は隣接する光源１０８を備え、その周囲には、第１の物質２０４及び／又は第２の物質２０２、例えば、伝熱物質及び／又は蓄光物質を含むエリアがあり、ケーシング部１０６全体が第１の物質及び第２の物質を含む。それらの物質は混合することができるか、又は別々のエリア及び／又は層内に配置することができる。
【００３９】
本発明は照明ストライプの作製方法にも関する。本発明の方法では、好ましくは動的な使用を可能にする照明ストライプの電気的構成要素は、好ましくは表面実装技法によって、いわゆるプリント回路基板技法に基づく、導体部の電気導体層、例えば、ポリアミド、ポリエステル、ポリエチレンテレフタレート等のプラスチックから作成される基礎材料の銅コーティング等に取り付けられ、それにより、電気導体層は、照明ストライプの全長にわたって基本的に途切れることなく延在し、その後、もたらされたその全体が、ＰＣＶ、ポリウレタン、オレフィン等のプラスチックに基づくケーシング材料によって包囲される。第１の物質及び第２の物質、例えば、伝熱物質及び蓄光物質は、連続作製プロセス、例えば、押出し成形前に、又は作製プロセス中にケーシング材料に加えることができる。伝熱物質は、例えば、伝熱粒子とすることができる。伝熱物質、例えば、粒子はケーシング部に概ね均等に分散させることができるか、又はケーシング部の或る特定の部分に配置することができる。蓄光物質は、例えば、蓄光粒子又は蓄光染料とすることができる。蓄光物質、例えば、粒子又は染料はケーシング部に概ね均等に分散させることができるか、又はケーシング部の特定の部分に配置することができる。
【００４０】
さらに、有利な実施形態として、連続したフレキシブルプリント回路基板から作成される、導体部の銅コーティング等のような、照明ストライプの電気導体層は、ケーシング材料の処理前に、被覆色、フィルム等によって電気的構成要素を包囲する部分によって少なくともコーティングすることができる。
【００４１】
図５は、照明ストライプの作製方法の例示的な実施形態を提示する。第１段階Ｉ中に、好ましくはロールから解かれるフレキシブル導体部５０３に表面処理技法によって電気的構成要素５０２が取り付けられ、その後、第２段階ＩＩ中に、導体部の少なくとも電気的構成要素を包囲する少なくとも被覆色５０４、ストライプ等を取り付けることができ、それが第３段階ＩＩＩ中に、その概ね全体を包囲するケーシング材料５０５によって押出し成形され、ケーシング材料５０５がケーシング部を形成する。第１の物質及び第２の物質、例えば、伝熱物質の粒子からなることができる伝熱物質、及び蓄光物質の粒子又は染料からなることができる蓄光材料を、第３段階ＩＩＩ前に、又は第３段階ＩＩＩ中にケーシング材料５０５に加えることができる。第１の物質及び第２の物質、例えば、蓄光材料及び伝熱物質は、ケーシング部１０６に概ね均等に加えることができるか、又はケーシング部１０６の１つ又は複数の或る特定の部分に加えることができる。例えば、被覆ストライプが設置されるまで電気的構成要素が配置されないように、当然、上記の作業ステージを他の方法に変更することもできる。
【００４２】
本発明の一実施形態では、ケーシング部は、少なくとも２つの異なる材料を押出し成形することによって形成することができ、材料のうちの一方は第１の物質、例えば、蓄光物質を含み、材料のうちの他方は第２の物質、例えば、伝熱物質を含む。伝熱材料又は蓄光材料の粒子を含まない第３の材料を用いることもできる。蓄光物質を含む材料は、例えば、蓄光物質を含むポリマーとすることができ、伝熱物質は、例えば、セラミック又は他の伝熱物質を含むポリマーとすることができる。利用可能な第３の材料は、例えば、蓄光物質又は伝熱物質を含まないポリマーとすることができる。
【００４３】
本発明の一実施形態では、照明ストライプ１００は光源１０８を個々に、又はまとめて点灯又は消灯させることができる。照明ストライプ１００は、例えば、光を「進ませる」ことができ、すなわち、隣接する光源１０８が消灯するときに、個々の光源１０８が点灯することができ、同じ側又は他の側にある隣接する光源１０８が点灯するときに消灯する。また、照明ストライプ１００は全ての光を一度に点灯及び消灯させることもでき、この機能を繰り返すことができる。これにより、照明ストライプ１００の点滅が達成され、点滅は、光源で連続的に照明されるストライプよりも、照明ストライプ１００に人々の注意を向けることができる。
【００４４】
蓄光物質を用いる実施形態では、照明ストライプ１００又は照明ストライプのパターン化は、例えば、電気の供給が停止されたために光源１０８が消灯するか又は消灯した後の所定の時間にわたって、蓄光物質を含むケーシング部１０６によって視認可能にすることができる。光源の消灯後に照明ストライプ１００を視認できる持続時間は、使用される材料、及び照明ストライプ１００の光源の効率によって決まる。照明ストライプ１００が暗闇において視認可能である持続時間は、約１から２時間とすることができる。一実施形態では、ケーシング部が蓄光物質を含むときでも、光源の光は視認可能である。本発明の別の実施形態では、光源は視認できず、蓄光物質を照明している。
【００４５】
本発明の一実施形態によれば、本発明による１つ又は複数の照明ストライプ、及び制御デバイスによって、照明ストライプシステムを形成することができる。照明ストライプシステムの制御デバイスによって、システムの照明ストライプ又は個々の光源を制御することができる。システムの制御デバイスは、照明ストライプと接続して配置することができるか、又は１つ若しくは複数の照明ストライプとは別にしておき、有線若しくは無線接続を介して動作することができる。１つの制御デバイスは、１つ又は複数の照明ストライプを制御することができる。制御デバイスは、１つの照明ストライプだけに接続することもでき、その照明ストライプが、システムの他の照明ストライプに制御情報を伝達又は搬送する。例えば、光源帯を照明ストライプとして用いることができる。ストライプ及び制御デバイスへの電力は、電源及び／又は１つ又は複数のバッテリ及び／又は他のタイプの電源から供給することができる。
【００４６】
照明ストライプ及び照明ストライプシステムは種々のモード、例えば、静的モード及び動的モードを有することができる。静的モードでは、照明ストライプの全ての光源１０８が点灯し続けることができる。動的モードでは、照明ストライプの光源１０８は、所定の態様で消灯及び点灯させることができる。光源１０８を消灯及び点灯させることによって、動いているという印象をもたらすことができる。この場合、所定の態様において点灯及び消灯する光源１０８を用いて、例えば、光源が「動いている」進行方向に、人々を誘導することができる。通常、動いているという印象は光源１０８をグループ単位で制御することによってもたらされ、その動きは、次の光源を点灯させ、それに応じて、前の光源を消灯させることによって示される。或る特定の照明ストライプ又は複数の照明ストライプの全ての光源１０８を一度に点灯させ、その後に消灯させることもできる。この機能が繰り返されるとき、照明ストライプの点滅が達成され、点滅は、静的モードよりも、照明ストライプに人々の注意を向けることができる。
【００４７】
本発明の一実施形態では、そのシステムは個々の照明ストライプの個々の光源を点灯又は消灯させることができる。光源はグループ単位で点灯又は消灯させることもできる。
【００４８】
照明ストライプシステムは、例えば、交通管制システム、非常口制御システム、避難システム又は火災警報システムに関連して用いることができ、当該システムの制御システムは、照明ストライプシステムの制御デバイス又は照明ストライプを制御することができる。
【００４９】
このため、本発明は、光を発する光源１０８と、光を発する光源１０８に電流を伝導させる手段と、ケーシング部１０６とを備える照明ストライプであって、光源及び／又は光源１０８に電流を伝導させる手段は少なくとも部分的にケーシング部１０６によって包囲される、照明ストライプに関する。ケーシング部１０６の少なくとも一部が第１の物質を含み、ケーシング部１０６の少なくとも一部が第２の物質を含む。
【００５０】
本発明の一実施形態では、ケーシング部１０６の少なくとも一部は、第１の物質及び／又は第２の物質を含まない第３の物質を含む。
【００５１】
本発明の一実施形態では、第１の物質は伝熱物質であり、光源及び／又は他の構成要素から熱を移す。
【００５２】
本発明の一実施形態では、第２の物質２０２は蓄光物質であり、光源が動作しなくなった後に、少なくとも一定の時間にわたって光を放射し、光源１０８は、光源１０８によって放射された光の少なくとも一部がケーシング部１０６に向けられるように、照明ストライプ１００に関連して配置される。
【００５３】
本発明の一実施形態では、伝熱物質は伝熱材料の粒子を含む。
【００５４】
本発明の一実施形態では、蓄光物質は蓄光材料の粒子を含む。
【００５５】
本発明の一実施形態では、粒子はケーシング部１０６内に均等に配置される。
【００５６】
本発明の一実施形態では、粒子はケーシング部１０６の或る特定の部分に配置される。
【００５７】
本発明の一実施形態では、光源１０８は回路基板１０２に接続される。
【００５８】
本発明の一実施形態では、光源１０８は連続して、及び／又は隣接して配置される。
【００５９】
本発明の一実施形態では、光源１０８は半導体光源、例えば、ＬＥＤ光源である。
【００６０】
本発明の一実施形態では、回路基板１０２は弾力性を有する。
【００６１】
本発明の一実施形態では、照明ストライプ１００のケーシング部１０６は耐水性を有する。
【００６２】
本発明の一実施形態では、ケーシング部１０６内の伝熱物質は、光源１０８の少なくとも一部の下に配置される。
【００６３】
本発明の一実施形態では、ケーシング部１０６内の蓄光物質は、光源１０８の少なくとも一部の周囲に配置される。
【００６４】
本発明の一実施形態では、伝熱物質は、炭素、酸化アルミニウム、セラミック又は基本的に高い熱伝導率を有する何らかの他の類似の物質を含む粒子を含有する。
【００６５】
本発明はまた、少なくとも１つの照明ストライプ及び少なくとも１つの制御ユニットを備える照明ストライプシステムに関する。照明ストライプは本発明による照明ストライプ１００であり、制御ユニットは、照明ストライプの光源を、所定の態様で点灯及び消灯させることによって制御するように構成される。
【００６６】
本発明の一実施形態では、制御ユニットは、１つの照明ストライプ１００の光源を所定の態様で１つずつ点灯及び消灯させるように構成される。
【００６７】
本発明の一実施形態では、照明ストライプ１００に無線で又は有線によって制御情報が送信される。
【００６８】
本発明の一実施形態では、照明ストライプシステムは、交通管制システム、非常口制御システム、避難システム又は火災警報システムによって制御される。
【００６９】
本発明はまた、照明ストライプの作製方法であって、照明ストライプは、電流を伝導させる手段であって、幾つかの光を発する光源１０８が長手方向において順次に取り付けられる、電流を伝導させる手段と、ケーシング部（１０６）とを備え、照明ストライプは、押出し成形等のような連続作製プロセスを利用することによって、断面において見たときに、ケーシング部１０６を形成するケーシング材料によって全体的に包囲されるように、光源１０８及び光源１０８に電流を伝導させる手段を配置することによって作製され、好ましくは動的な使用を可能にする光源１０８は、好ましくは表面処理技法によって、光源１０８に電流を伝導させる手段に取り付けられ、それにより、光源１０８に電流を伝導させる手段は、導電素子の全長にわたって基本的に途切れることなく延在し、もたらされたその全体は、ＰＣＶ、ポリウレタン、オレフィン等のプラスチックに基づくケーシング材料によって包囲される、照明ストライプの作製方法に関する。本方法では、第１の物質が少なくともケーシング材料の一部に付加され、第２の物質が少なくともケーシング材料の一部に付加される。
【００７０】
本発明の一実施形態では、第３の物質が少なくとも、第１の物質及び／又は第２の物質を含まないケーシング材料の部分に付加される。第３の物質は第１の物質及び／又は第２の物質を含まない。
【００７１】
本発明の一実施形態では、第１の物質は伝熱物質であり、伝熱物質は熱を光源及び／又は他の構成要素から移すように配置される。
【００７２】
本発明の一実施形態では、第２の物質は蓄光物質であり、光源１０８によって放射された光の少なくとも一部がケーシング部１０８に向けられ、蓄光物質を照明するように、光源１０８及び蓄光物質は照明ストライプ１００に関連して配置される。
【００７３】
本発明の一実施形態では、ケーシング部１０６は少なくとも２つの異なる材料を押出し成形することによって形成され、材料のうちの一方は第１の物質を含み、他方の材料は第２の物質を含む。
【００７４】
本発明は、上記に示した実施形態に限定されないが、以下に示される特許請求の範囲の範囲内において変形することができることが当業者には明らかである。他の特徴とともに本明細書に示した可能性のある特徴はまた、必要であれば互いに別々に用いることができる。
【図１】
2014517444.tif 000003
【図２】
2014517444.tif 000004
【図３】
2014517444.tif 000005
【図４】
2014517444.tif 000006
【図５】
2014517444.tif 000007
【国際調査報告】
2014517444.tif 000008
2014517444.tif 000009
2014517444.tif 000010
2014517444.tif 000011
2014517444.tif 000012